(57)【要約】【課題】バッティンググローブにおいて、手に装着したときにより十分なフィット感が得られ、グリップを強固にしてバットをしっかり握ることができるようにするとともに、バッティングの際のフィット感を向上させ、打撃力を向上させる。【解決手段】手首部２０の親指側にスリット２２を設け、締結フラップ２１の基部をスリットの掌側近傍に固着し、締結フラップ２１の自由端部を手首部の手甲部側の小指側端部近傍に締結する。また、手甲部３０に、一端を親指側に他端を小指側に固着した互いにほぼ平行２本のストラップベルト４０，５０を設け、そのストラップベルトの一部に着脱、締結可能な締結部４１，５１を設ける。【選択図】  図１
2005349073.tif 000002
【特許請求の範囲】
【請求項１】
５指を挿入するための指スリーブ部と、
手首を覆う手首部と、
前記指スリーブ部を先端に前記手首部を後端に連設して有し、グローブの表裏を形成する手甲部および掌部からなるグローブ本体とからなり、
前記手首部に締結フラップを有するバッティンググローブにおいて、
前記手首部の親指側にスリットを設け、前記締結フラップの基部を該スリットの前記掌側近傍に固着し、該締結フラップの自由端部を前記手首部の前記手甲部側の小指側端部近傍に締結するよう構成したことを特徴とするバッティンググローブ。
【請求項２】
５指を挿入するための指スリーブ部と、
手首を覆う手首部と、
前記指スリーブ部を先端に前記手首部を後端に連設して有し、グローブの表裏を形成する手甲部および掌部からなるグローブ本体とからなり、
前記手首部に締結フラップを有するバッティンググローブにおいて、
前記手甲部に、一端を親指側に他端を小指側に固着した少なくとも１本のストラップベルトを設け、該ストラップベルトの一部に着脱、締結可能な締結部を設けたことを特徴とするバッティンググローブ。
【請求項３】
前記ストラップベルトが、互いにほぼ平行な２本のストラップベルトからなることを特徴とする請求項２記載のバッティンググローブ。
【請求項４】
前記２本のストラップベルトが、親指の中手指近傍から尺骨頭近傍に向けて伸びる第１のストラップベルトと、人差指の指骨近傍から小指の中手指近傍まで向けて伸びる第２のストラップベルトとからなることを特徴とする請求項２または３記載のバッティンググローブ。
【請求項５】
前記ストラップベルトの締結部が、手甲部に固着された第１の面ファスナーと、手甲部の該第１の面ファスナーから前記ストラップベルトの長さ方向に離れた位置に一端を固着され他端に該第１の面ファスナーと着脱自在に係止し得る第２の面ファスナーを有する締結ストラップとからなることを特徴とする請求項２、３または４記載のバッティンググローブ。
【請求項６】
５指を挿入するための指スリーブ部と、
手首を覆う手首部と、
前記指スリーブ部を先端に前記手首部を後端に連設して有し、グローブの表裏を形成する手甲部および掌部からなるグローブ本体とからなり、
前記手首部に締結フラップを有するバッティンググローブにおいて、
前記掌部が、該掌部の中央近傍の一部を裁断した後縫合されて、前記手甲部より小さく形成されたものであり、それによりグローブ全体が掌部側に湾曲して掌部が凹面状になるよう構成されたことを特徴とするバッティンググローブ。
【発明の詳細な説明】
【技術分野】
【０００１】
本発明は野球やソフトボールの競技においてバッターが使用するバッティンググローブに関するものである。
【背景技術】
【０００２】
バッティンググローブは、野球やソフトボールの競技においてバッターがスウィング中にグリップがスリップしないように使用するもので、試合や練習に広く用いられている。
【０００３】
バッティンググローブ（以下、単にグローブという）は、一般に図７に示すように手首に締結フラップ２を有し、締結フラップ２と手首部とは面ファスナー（微小な鉤状およびループ状のプラスチック製フックを面上に多数備え、通常はループ状の雌面とフック状の雄面とが係止するようになっている。マジックテープ（登録商標）ともいう。）により着脱自在とされ、フラップ２を手首部４から剥がして引っ張り、また押さえつけて付着させることにより手首をしっかり締め付けるようになっている。
【０００４】
従来のグローブとしては、その手を保護する機能を向上させるため、例えば特許文献１のようにグローブに挿入した手を保護するためにクッションを掌部に設けたものが知られている。
【特許文献１】特開平６−１５０２３号公報
【発明の開示】
【発明が解決しようとする課題】
【０００５】
この種のグローブは、練習において手にまめができないようにするとともに、試合中にデッドボールなどで手の負う怪我を最小限に抑える、手を保護する機能を有しているが、より重要な機能は、グリップを強固にして、試合においてバットをしっかり握ることができるようにするとともにバッティングの際に良いフィット感を与えることである。
【０００６】
従来のグローブは、図８および図９に示すように手首を締める締結フラップを締めたとき、小指の下から手首にかけてたるみ（図８のＡ、図９のB）ができ、このためグローブのフィット感が不十分であった。
【０００７】
本発明は、手に装着したときに手に十分なフィット感が得られ、グリップを強固にしてバットをしっかり握ることができるようにするとともに、バッティングの際のフィット感を向上させ、打撃力を向上させるグローブを提供することを目的とするものである。
【課題を解決するための手段】
【０００８】
本発明の第一の発明によるバッティンググローブは、５指を挿入するための指スリーブ部と、手首を覆う手首部と、指スリーブ部を先端に手首部を後端に連設して有し、グローブの表裏を形成する手甲部および掌部からなるグローブ本体とからなり、手首部に締結フラップを有するバッティンググローブにおいて、手首部の親指側にスリットを設け、締結フラップの基部をスリットの掌側近傍に固着し、締結フラップの自由端部を手首部の手甲部側の小指側端部近傍に締結するよう構成したことを特徴とするものである。
【０００９】
また本発明の第二の発明によるバッティンググローブは、上記のような指スリーブ部と手首部とグローブ本体とからなり、手首部に締結フラップを有するバッティンググローブにおいて、手甲部に、一端を親指側に他端を小指側に固着した少なくとも１本のストラップベルトを設け、そのストラップベルトの一部に着脱、締結可能な締結部を設けたことを特徴とするものである。
【００１０】
そのストラップベルトは、好ましくは、互いにほぼ平行な２本のストラップベルトからなるものとするのがよい。
【００１１】
その２本のストラップベルトは、親指の中手指近傍から尺骨頭近傍に向けて伸びる第１のストラップベルトと、人差指の指骨近傍から小指の中手指近傍まで向けて伸びる第２のストラップベルトとするのが好ましい。
【００１２】
また、それらのストラップベルトの締結部は、手甲部に固着された面ファスナーと、手甲部の面ファスナーからストラップベルトの長さ方向に離れた位置に一端を固着され他端にその面ファスナーと着脱自在に係止し得る面ファスナーを有する締結ストラップとからなるものとすることができる。
【００１３】
また、本発明の第三の発明によるによるバッティンググローブは、上記のような指スリーブ部と手首部とグローブ本体とからなり、手首部に締結フラップを有するバッティンググローブにおいて、グローブ本体の掌部が、その中央近傍の一部を裁断した後縫合されて、グローブの手甲部より小さく形成されたものであり、それによりグローブ全体が掌部側に湾曲して掌部が凹面状になるよう構成されたことを特徴とするものである。
【発明の効果】
【００１４】
本発明の第一の発明によるバッティンググローブは、手首部の親指側にスリットを設け、締結フラップの基部をスリットの掌側近傍に固着し、締結フラップの自由端部を手首部の手甲部側の小指側端部近傍に締結するよう構成したので、締結フラップを締めたときに、小指側にたるみができず、手に対するフィット感が向上するという効果を奏することができる。
【００１５】
また本発明の第二の発明によるバッティンググローブは、手甲部に、一端を親指側に他端を小指側に固着した少なくとも１本のストラップベルトを設け、そのストラップベルトの一部に着脱、締結可能な締結部を設けたので、このストラップベルトを締めることにより、特に手甲部の緩みを締めることができ、手に対するフィット感が向上するという効果を奏することができる。
【００１６】
また、本発明の第三の発明によるによるバッティンググローブは、グローブ本体の掌部が、その中央近傍の一部を裁断した後縫合されて、グローブの手甲部より小さく形成されたものであり、それによりグローブ全体が掌部側に湾曲して掌部が凹面状になるよう構成されているので、凹面状の掌部がバットを握ったときにバットに対するフィット感を向上させるという効果を奏することができる。
【００１７】
本発明のバッティンググローブは、これらの効果により、グリップを強固にしてバットをしっかり握ることができるようにすることができ、それによりバッティングの際のフィット感を向上させ、打撃力を向上させることができる。
【発明を実施するための最良の形態】
【００１８】
図１は、本発明のバッティンググローブの一実施形態を示す平面図であって、バッティンググローブは、５指を挿入するための指スリーブ部１１，１２，１３，１４，１５と、手首を覆う手首部２０と、指スリーブ部１１〜１５を先端に、手首部２０を後端に連設して有し、グローブの表裏を形成する手甲部３１および掌部３２（図２）からなるグローブ本体３０とからなり、手首部２０に締結フラップ２１を有している。
【００１９】
図４に示すように、本発明のグローブは、手首部２０の親指側にスリット２２を設け、締結フラップ２１の基部２１ａをスリット２２の掌側近傍に固着し、締結フラップ２１の自由端部２１ｂに面ファスナー２３ａ（図３）を設け、これを手首部２０の手甲部側の小指側端部近傍に設けた面ファスナー２３ｂに締結するよう構成されている。
【００２０】
これにより、締結フラップ２１を手首部２０に締めながら止めると、図５のＡ’に示すように手首と小指の間にたるみができず、グローブは手にしっくりフィットする。
【００２１】
バットを握るときにフィット感が特に重要なのは小指側であり、この部分にたるみが生じないことはフィット感を高める上で極めて有効である。
【００２２】
また本発明の上記実施形態によるバッティンググローブは、図１および図３に示すように、手甲部３０に、一端を親指側に他端を小指側に固着した互いにほぼ平行な２本のストラップベルト４０，５０を有し、そのストラップベルト４０,５０の一部に着脱、締結可能な締結部４１，５１を備えている。その２本のストラップベルト４０,５０は、親指の中手指近傍から尺骨頭近傍に向けて伸びる第１のストラップベルト４０と、人差指の指骨近傍から小指の中手指近傍まで向けて伸びる第２のストラップベルト５０とからなっている。
【００２３】
前記ストラップベルトの締結部４１，５１は、手甲部３０に固着された第１の面ファスナー４１ａ，５１ａと、手甲部の第１の面ファスナー４１ａ，５１ａからストラップベルトの長さ方向に離れた位置に一端を固着され他端に第１の面ファスナー４１ａ，５１ａと着脱自在に係止する第２の面ファスナー４１ｂ，５１ｂを有する締結ストラップ４１ｃ，５１ｃとからなっている。締結ストラップ４１ｃ，５１ｃはグローブに手を挿入した後、図３に矢印で示す方向に引っ張りながら第２の面ファスナー４１ｂ，５１ｂを第１の面ファスナー４１ａ，５１ａに係止させ、手の甲の部分を締めて、グローブを手にフィットさせる。そうすることにより、図６に示すように、２本のストラップベルト４０，５０により手の甲の緩みを引き締め、手に一層のフィット感を与えることができる。
【００２４】
本発明の本実施形態のグローブは、さらに、図２に示すように、掌部３２が掌部３２の中央近傍の一部３３を裁断した後に縫合されて、手甲部３０より小さく形成されている。これにより、グローブ全体が掌部側に湾曲して掌部が凹面状になる。したがって、バットを握るときグローブの掌部３２は従来のグローブの平面状の掌部よりバットになじみやすく、掌部にしわやたるみを作ることなく、より高いフィット感をもってバットを握ることができる。
【００２５】
なお、上記実施形態は２本のストラップベルトを備えているが、これは必ずしも２本に限られるものではなく、１本でもよいし、３本でもよい。１本の場合は図示のものよりも幅広にするのが好ましい。またストラップベルトの幅は一定でなく、固定側を広く、自由端側を細くしたものとしてもよい。また４本以上でもよいが、あまり多くなると、締める手間が面倒になるので、実際には１本か２本程度が望ましい。
【００２６】
また、上記実施形態は指先までの指スリーブ部を備えているが、各指スリーブ部は指の根元だけを覆って、指先は露出するような形態としてもよい。また、その先端を露出する長さはいくらでもよい。例えば極端な場合は、殆ど指の付け根まで露出するようにしてもよい。その場合も、付け根を囲む部分を指スリーブ部と呼ぶことにする。
【００２７】
以上、本発明のグローブは野球に代表させて「バッティンググローブ」として説明したが、本発明はそれに限られるものではなく、グリップを強固にしフィット感を高めることが望まれるスポーツであれば、野球以外にも適用できるものであり、例えばゴルフ用にも適用できるものである。したがって本明細書における「バッティンググローブ」は、それらスポーツ用のグローブを広く含むものを意味するものとする。
【図面の簡単な説明】
【００２８】
【図１】本発明のバッティンググローブの一実施形態を示す平面図
【図２】同実施形態の底面図
【図３】同実施形態の手首部の締結フラップを手甲部のストラップベルトの締結部を剥がした状態を示す平面図
【図４】本発明のバッティンググローブを示す斜視図
【図５】同バッティンググローブのたるみの無い様子を示す掌側から見た斜視図
【図６】同じく手甲部から見た斜視図
【図７】従来のバッティンググローブの一例を示す斜視図
【図８】その掌側から見た斜視図
【図９】その手甲部から見た斜視図
【符号の説明】
【００２９】
２    締結フラップ
４    手首部
１１，１２，１３，１４，１５  指スリーブ部
２０  手首部
２１  締結フラップ
２２  スリット
２３ａ、２３ｂ  面ファスナー
３０  手甲部
４０  ストラップベルト
４１  締結部
５０  ストラップベルト
５１  締結部
【図１】
2005349073.tif 000003
【図２】
2005349073.tif 000004
【図３】
2005349073.tif 000005
【図４】
2005349073.tif 000006
【図５】
2005349073.tif 000007
【図６】
2005349073.tif 000008
【図７】
2005349073.tif 000009
【図８】
2005349073.tif 000010
【図９】
2005349073.tif 000011